(57)【要約】      （修正有）【課題】基地局のカバレッジ外においてデバイスツーデバイス通信に利用可能なリソースの調整を行う方法を提供する。【解決手段】ユーザ機器により実施される方法は、デバイスツーデバイスグループの全てのデバイスがセルラー通信ネットワークのカバレッジ外に移動するか又はセルラー通信ネットワークのカバレッジ外に存在する場合に、デバイスツーデバイスディスカバリ及び／又はデバイスツーデバイス通信のための拡張リソースの使用が可能となるように構成される。【選択図】図９
2019071654.tif 000002
【特許請求の範囲】
【請求項１】
ユーザ機器であって、
セルラー通信ネットワークとの通信のために構成されるワイヤレスインタフェース（２０）と、
前記ワイヤレスインタフェース（２０）を制御して、デバイスツーデバイスディスカバリ及び／又はデバイスツーデバイス通信のためにデバイスツーデバイスリソース（５０，５３）を使用する、ように構成される処理デバイス（２４）と、
を備え、
前記ユーザ機器（２）は、該ユーザ機器（２）が前記セルラー通信ネットワークのカバレッジ内に存在する場合は、予め構成されたリソース（５０）を使用し、該ユーザ機器（２）が前記セルラー通信ネットワークのカバレッジ外に存在する場合は、予め構成されたリソース（５０）及び追加的な拡張リソース（５３）を使用し、
前記ユーザ機器（２）を含むデバイスツーデバイスグループの全てのデバイス（２，３，４）が前記セルラー通信ネットワークのカバレッジ外に移動するか、又は前記セルラー通信ネットワークのカバレッジ外に存在する場合に、前記デバイスツーデバイスディスカバリ及び／又は前記デバイスツーデバイス通信のための前記拡張リソース（５３）の前記使用が可能にされる、ユーザ機器。
【請求項２】
前記拡張リソース（５３）の前記使用は、前記デバイスツーデバイスグループの全てのデバイスによって測定された信号対雑音プラス干渉比（ＳＩＮＲ）に応じて選択的に実行され、前記拡張リソース（５３）は、各前記デバイスが閾値未満である場合にのみ使用され、前記閾値は、前記デバイスが前記カバレッジ内にあるかどうかを決定する前記ＳＩＮＲの更なる閾値よりも小さい、請求項１に記載のユーザ機器。
【請求項３】
前記デバイスツーデバイスグループの少なくとも１つのデバイス（２，３，４）が前記セルラー通信ネットワークのカバレッジ内に移動するか、又は前記セルラー通信ネットワークのカバレッジ内に存在する場合に、前記デバイスツーデバイスディスカバリ及び／又は前記デバイスツーデバイス通信のための前記拡張リソース（５３）の前記使用が不能にされる、
請求項１または２に記載のユーザ機器。
【請求項４】
前記ユーザ機器（２）は、前記ワイヤレスインタフェース（２０）を制御して、前記
ユーザ機器（２）が前記セルラー通信ネットワークのカバレッジ外に移動したこと、又は、前記ユーザ機器（２）が前記セルラー通信ネットワークのカバレッジ外に存在すること、を示す情報（９１；１０１）を送信する、ように構成される、
請求項１〜３のいずれか一項に記載のユーザ機器。
【請求項５】
前記ユーザ機器（２）は、前記情報（９１）に応答して前記ワイヤレスインタフェース（２０）においてメッセージ（９２）を受信するように構成され、前記メッセージ（９２）は、前記ユーザ機器（２）が、前記デバイスツーデバイスディスカバリ及び／又は前記デバイスツーデバイス通信のために前記拡張リソース（５３）を使用することを可能にする、
請求項４に記載のユーザ機器。
【請求項６】
前記ユーザ機器（２）は、前記デバイスツーデバイスディスカバリ及び／又は前記デバイスツーデバイス通信のための前記拡張リソース（５３）の前記使用が、前記セルラー通信ネットワークの無線アクセスネットワークとの干渉を生じるかどうかを判定するように構成される、
請求項１から５のいずれか一項に記載のユーザ機器。
【請求項７】
前記ユーザ機器（２）は、前記ユーザ機器（２）の位置付けがジオロケーションの制約を満たすかどうかを判定するように構成され、
前記デバイスツーデバイスディスカバリ及び／又は前記デバイスツーデバイス通信のための前記拡張リソース（５３）の前記使用は、前記位置付けが前記ジオロケーションの制約を満たすかどうかに依存して可能にされる、
請求項１から６のいずれか一項に記載のユーザ機器。
【請求項８】
前記ユーザ機器（２）は、前記デバイスツーデバイスディスカバリ及び／又は前記デバイスツーデバイス通信のための前記拡張リソースの前記使用が可能にされない場合に、前記セルラー通信ネットワークとの通信のために前記拡張リソース（５３）を使用するように構成される、
請求項１から７のいずれか一項に記載のユーザ機器。
【請求項９】
前記ユーザ機器（２）は、前記拡張リソース（５３）を、スケジューリング割り当てリソース（６３）として、及び、データリソース（６４）として、使用するように構成される、
請求項１から８のいずれか一項に記載のユーザ機器。
【請求項１０】
前記拡張リソース（５３）内の前記スケジューリング割り当てリソース（６３）と前記データリソース（６４）との間のマッピングは、前記セルラー通信ネットワークにより予め構成されたデバイスツーデバイスリソース（５０）内のスケジューリング割り当てリソース（６１）とデータリソース（６２）との間のマッピングに依存する、
請求項９に記載のユーザ機器。
【請求項１１】
前記ユーザ機器（２）は、前記拡張リソース（５３）をデータリソース（６５）として使用し、前記拡張リソース（５３）とは異なるリソースをスケジューリング割り当てリソース（６１）として使用する、ように構成される、
請求項１から１０のいずれか一項に記載のユーザ機器。
【請求項１２】
前記ユーザ機器（２）は、前記デバイスツーデバイスディスカバリ及び／又は前記デバイスツーデバイス通信のための前記拡張リソース（５３）の前記使用が可能にされるかどうかに依存して、少なくとも１つのサービスの実行をトリガするように構成される、
請求項１から１１のいずれか一項に記載のユーザ機器。
【請求項１３】
通信システムであって、
セルラー通信ネットワークとの通信のために構成される複数のデバイス（２，３，４）を含むデバイスツーデバイスグループを備え、前記デバイスツーデバイスグループの各デバイス（２，３，４）は、デバイスツーデバイスディスカバリ及びデバイスツーデバイス通信のために更に構成され、
前記デバイスツーデバイスグループの少なくとも１つのデバイス（２）は、請求項１から１２のいずれか一項に記載のユーザ機器として構成され、
前記デバイスツーデバイスグループは、グループヘッド（３）を含み、前記グループヘッド（３）は、
前記デバイスツーデバイスグループの全てのデバイス（２，３，４）が前記セルラー通信ネットワークのカバレッジ外に移動するか、又は前記セルラー通信ネットワークのカバレッジ外に存在するかどうかを判定し、
前記複数のデバイス（２，３，４）が、前記デバイスツーデバイスディスカバリ及び／又は前記デバイスツーデバイス通信のために拡張リソース（５３）を使用することを選択的に可能にする、
ように構成される、通信システム。
【請求項１４】
前記グループヘッド（３）は、前記デバイスツーデバイスグループの少なくとも１つのデバイス（２，３，４）が前記セルラー通信ネットワークのカバレッジ内に移動するか、又は前記セルラー通信ネットワークのカバレッジ内に存在する場合に、前記デバイスツーデバイスディスカバリ及び／又は前記デバイスツーデバイス通信のための前記拡張リソース（５３）の前記使用を不能にするように構成される、
請求項１３に記載の通信システム。
【請求項１５】
ユーザ機器（２）を制御する方法であって、前記ユーザ機器（２）は、セルラー通信ネットワークとの通信のために構成されるワイヤレスインタフェース（２０）を備え、前記方法は、
前記ユーザ機器（２）が前記セルラー通信ネットワークのカバレッジ外に移動するか、又はカバレッジ外に存在するかどうかを判定することと、
前記ワイヤレスインタフェース（２０）を通じたデバイスツーデバイスディスカバリ及び／又はデバイスツーデバイス通信のためにデバイスツーデバイスリソース（５０，５３）を使用することと、
を含み、
デバイスツーデバイスディスカバリ及び／又はデバイスツーデバイス通信のための予め構成されたリソース（５０）は、前記ユーザ機器（２）が前記セルラー通信ネットワークのカバレッジ内に存在する場合に使用され、
デバイスツーデバイスディスカバリ及び／又はデバイスツーデバイス通信のための前記予め構成されたリソース（５０）及び追加的な拡張リソース（５３）は、前記ユーザ機器（２）が前記セルラー通信ネットワークのカバレッジ外に存在する場合に使用され、
前記ユーザ機器（２）を含むデバイスツーデバイスグループの全てのデバイス（２，３，４）が前記セルラー通信ネットワークのカバレッジ外に移動するか、又は前記セルラー通信ネットワークのカバレッジ外に存在する場合に、前記デバイスツーデバイスディスカバリ及び／又は前記デバイスツーデバイス通信のための前記拡張リソース（５３）の前記使用が可能にされる、方法。
【請求項１６】
請求項１から１２のいずれか一項に記載の前記ユーザ機器（２）により実施される、
請求項１５に記載の方法。
【発明の詳細な説明】
【技術分野】
【０００１】
この発明の実施形態は、モバイル通信システムに関する。この発明の実施形態は特に、モバイル通信ネットワークにおいてデバイスツーデバイスディスカバリ及び／又はデバイスツーデバイス通信を実施するための技術に関する。
【背景技術】
【０００２】
データ及び音声のモバイル通信に対する需要は、有意な成長を明示し続けている。モバイル通信システムの例には、セルラーベースのワイヤレス通信ネットワークが含まれる。このようなネットワークは、種々のネットワークノードを含む。これらのネットワークノードは、無線セルについてのカバレッジをそれぞれ提供する複数の基地局を含み得る。
【０００３】
モバイル通信ネットワークのユーザ機器は、近接サービス（ＰｒｏＳｅ）対応のデバイスであり得る。互いに近接して位置付けられている幾つかのＰｒｏＳｅ対応のユーザ機器は、デバイスツーデバイス（Ｄ２Ｄ）通信を実施するように動作する。Ｄ２Ｄ通信は、モバイル通信ネットワークのユーザ機器が互いに近接して位置付けられているときに、当該ユーザ機器が互いに直接通信することを可能にする。Ｄ２Ｄ通信は、公共安全及び他のユースケースを含めた多種多様な用途を有する。緊急通話は、Ｄ２Ｄ通信の公共安全のユースケースについての１つの例である。ユーザ機器間でのデータ又は音声の直接通信は、Ｄ２Ｄ通信のユースケースについての別の例である。例示のため、互いに近接して位置付けられているＰｒｏＳｅ対応のユーザ機器は、データ又は音声の通信に関与し得る。
【０００４】
Ｄ２Ｄ通信を実施するために、ユーザ機器は、当該ユーザ機器に近接して位置付けられている１つ又は幾つかの他のユーザ機器を検出することが可能でなければならない。
【０００５】
リソース、例えば、ユーザ機器がＤ２Ｄディスカバリのために使用し得るサブキャリア周波数、スロット、及び／又はシンボルは、基地局により当該ユーザ機器に割り当てられ得る。同様に、リソース、例えば、ユーザ機器がＤ２Ｄ通信のために使用し得るサブキャリア周波数、スロット、及び／又はシンボルは、基地局により当該ユーザ機器に割り当てられ得る。Ｄ２Ｄ通信としてのデータの送信は、スケジューリング割り当てを要し得る。スケジューリング割り当ては、ユーザ機器がどのリソースで、例えば、どのサブキャリア周波数、スロット、及び／又はシンボルで、データを送信又は受信し得るのかを判定するために使用され得る。
【０００６】
ユーザ機器は、自身がセルラー通信ネットワークのカバレッジ外に位置付けられるときでさえも、Ｄ２Ｄディスカバリ及び／又はＤ２Ｄ通信を実施し得る。スケジューリング割り当てのためのリソース、又はデータリソースは、セルラー通信ネットワークにより予め構成され得る。カバレッジ外のシナリオにおいてＤ２Ｄディスカバリ及び／又はＤ２Ｄ通信に利用可能な、予め構成されたリソースは、限定されていることがあり得る。その理由は特に、予め構成されたリソースが、セルラー通信ネットワークの幾つかの隣接するセルの無線アクセスネットワークリソースに整合していなければならないためである。
【発明の概要】
【発明が解決しようとする課題】
【０００７】
当該技術においては、上記の欠点の少なくとも幾つかを緩和する技術が必要とされる。特に、カバレッジ外のシナリオにおいて、デバイスツーデバイスディスカバリ及び／又はデバイスツーデバイス通信のための予め構成されたリソースによって課される制限という欠点に対処する技術が必要とされる。デバイスツーデバイスディスカバリ及び／又はデバイスツーデバイス通信が、セルラー通信ネットワークの無線アクセスネットワークとの干渉を生じるリスクを抑えておくような技術が必要とされる。
【課題を解決するための手段】
【０００８】
この発明の例示的な実施形態によると、デバイスツーデバイスディスカバリ及び／又はデバイスツーデバイス通信のためのリソースは、動的に調節される。以下においては、これらのリソースをデバイスツーデバイスリソースと称する。
【０００９】
実施形態によると、１つまたは幾つかのユーザ機器がセルラー通信ネットワークのカバレッジ外に存在するか、又はカバレッジ外に移動する場合に、デバイスツーデバイスディスカバリ及び／又はデバイスツーデバイス通信に、拡張リソースが動的に利用可能になる。１つの（複数の）ユーザ機器が、セルのカバレッジ内に存在するか、又は部分的カバレッジ内に存在するとき、拡張リソースは、セルラー通信ネットワークの無線アクセスネットワークとの通信のために確保されるリソースであり得る。それにより、カバレッジ外のシナリオにおいて必要とされないリソースは、デバイスツーデバイスディスカバリ及び／又はデバイスツーデバイス通信に動的に利用可能となる。デバイスツーデバイスリソースの不足に纏わる問題は、緩和され得る。拡張リソースは、予め構成されたデバイスツーデバイスリソースのサブキャリア周波数の数よりも多くの数のサブキャリア周波数を含み得る。
【００１０】
拡張リソースの使用は、デバイスツーデバイスグループの１つ又は全てのデバイスがカバレッジ外に位置付けられているか、又はカバレッジ外に移動するかどうかに選択的に依存して実施され得る。拡張リソースの使用は、デバイスツーデバイスグループの全てのデバイスによって測定された信号対雑音干渉比（ＳＩＮＲ）に選択的に依存して実施され得る。拡張リソースは、各デバイスについてのＳＩＮＲが閾値未満である場合にのみ使用され得る。拡張リソースが使用され得るかどうかを判定するために使用される閾値は、デバイスがカバレッジ内に存在するかどうかを判定する、ＳＩＮＲについてのさらなる閾値よりも小さいことがあり得る。
【００１１】
一実施形態によるユーザ機器は、セルラー通信ネットワークとの通信のために構成されるワイヤレスインタフェースを備える。ユーザ機器は、ワイヤレスインタフェースを制御して、デバイスツーデバイスディスカバリ及び／又はデバイスツーデバイス通信のためにデバイスツーデバイスリソースを使用する、ように構成される処理デバイスを備える。デバイスツーデバイスリソースは、ユーザ機器がセルラー通信ネットワークのカバレッジ外に存在するかどうかに依存する。
【００１２】
ユーザ機器は、少なくとも当該ユーザ機器がセルラー通信ネットワークのカバレッジ外に移動するか、又はセルラー通信ネットワークのカバレッジ外に存在する場合に、デバイスツーデバイスディスカバリ及び／又はデバイスツーデバイス通信のための拡張リソースの使用が選択的に可能にされるように構成され得る。
【００１３】
拡張リソースの使用が可能にされるとき、デバイスツーデバイスディスカバリ及び／又はデバイスツーデバイス通信を実施するために、拡張リソースにより構成されるリソースプールから採用されるリソースと、予め構成されたデバイスツーデバイスリソースと、が使用され得る。
【００１４】
ユーザ機器は、デバイスツーデバイスグループの全てのデバイスがセルラー通信ネットワークのカバレッジ外に移動するか、又はセルラー通信ネットワークのカバレッジ外に存在する場合に、デバイスツーデバイスディスカバリ及び／又はデバイスツーデバイス通信のための拡張リソースの使用が可能にされるように構成され得る。デバイスツーデバイスグループは、ユーザ機器を含む。
【００１５】
ユーザ機器は、デバイスツーデバイスグループの少なくとも１つのデバイスがセルラー通信ネットワークのカバレッジ内に移動するか、又はセルラー通信ネットワークのカバレッジ内に存在する場合に、デバイスツーデバイスディスカバリ及び／又はデバイスツーデバイス通信のための拡張リソースの使用が不能にされるように構成され得る。
【００１６】
ユーザ機器は、ワイヤレスインタフェースを制御して、当該ユーザ機器がセルラー通信ネットワークのカバレッジ外に移動したこと、又は当該ユーザ機器がセルラー通信ネットワークのカバレッジ外に存在すること、を示す情報を送信する、ように構成され得る。
【００１７】
ユーザ機器は、情報に応答してワイヤレスインタフェースにおいてメッセージを受信するように構成され得、当該メッセージは、ユーザ機器が、デバイスツーデバイスディスカバリ及び／又はデバイスツーデバイス通信のために拡張リソースを使用することを可能にする。
【００１８】
ユーザ機器は、デバイスツーデバイスグループのグループヘッドからメッセージを受信するように構成され得る。グループヘッドは、それにより、デバイスツーデバイスグループの全てのデバイスに拡張リソースを使用させる制御シグナリングを実施し得る。
【００１９】
ユーザ機器は、デバイスツーデバイスグループのグループヘッドから、デバイスツーデバイスディスカバリ及び／又はデバイスツーデバイス通信のためのリソース拡張の使用をユーザ機器に不能にさせる別のメッセージを受信するように構成され得る。グループヘッドは、それにより、デバイスツーデバイスグループの全てのデバイスに拡張リソースの使用を中止させる制御シグナリングを実施し得る。
【００２０】
ユーザ機器は、デバイスツーデバイスディスカバリ及び／又はデバイスツーデバイス通信のための拡張リソースの使用が可能にされない場合に、セルラー通信ネットワークとの通信のために拡張リソースを使用するように構成され得る。
【００２１】
ユーザ機器は、拡張リソースを、スケジューリング割り当てリソースとして、及び、データリソースとして、使用するように構成され得る。このケースでは、スケジューリング割り当てを送信又は受信するためのスケジューリング割り当てリソースと、デバイスツーデバイス通信を介してデータを送信又は受信するためのデータリソースとの両方が、拡張リソース内に含まれ得る。
【００２２】
拡張リソース内のスケジューリング割り当てリソース及びデータリソースは、例えば、周波数及び／又は時間のオフセットにより、当初のスケジューリング割り当てリソース及び当初のデータリソースに関連付けられ得る。オフセット情報は、予め構成され得、又は、グループヘッドによりシグナリングされ得る。
【００２３】
ユーザ機器は、拡張リソースをデータリソースとして使用し、拡張リソースとは異なるリソースをスケジューリング割り当てリソースとして使用する、ように構成され得る。当初の予め構成されたスケジューリング割り当てリソース内のスケジューリング割り当ては、次いで、拡張されたリソース内のデータリソースを、予め構成されたデバイスツーデバイスリソース内の当初のデータリソースに動的にリンクさせるために使用され得る。
【００２４】
ユーザ機器は、デバイスツーデバイスディスカバリ及び／又はデバイスツーデバイス通信のための拡張リソースの使用が可能にされるかどうかに依存して、少なくとも１つのサービスの実行をトリガするように構成され得る。少なくとも１つのサービスは、帯域幅閾値を上回る帯域幅要件を有し得る。
【００２５】
少なくとも１つのサービスは、ビデオ通話サービスを含み得る。
【００２６】
ユーザ機器は、デバイスツーデバイスグループのグループヘッドとして動作するように構成され得る。その目的のために、当該ユーザ機器は、デバイスツーデバイスグループのデバイスが、セルラー通信ネットワークのカバレッジ内に存在するのか、それともカバレッジ外に存在するのかをモニタリングし得る。デバイスツーデバイスグループの全てのデバイスがカバレッジ外に存在する場合、ユーザ機器は、グループ内の全てのデバイスが、デバイスツーデバイスディスカバリ及び／又はデバイスツーデバイス通信のために拡張リソースを使用することを可能にし得る。デバイスツーデバイスグループのデバイスのいずれか１つでもカバレッジ内に存在する場合、ユーザ機器は、デバイスツーデバイスディスカバリ及び／又はデバイスツーデバイス通信のための拡張リソースの使用を不能にし得る。
【００２７】
ユーザ機器は、デバイスツーデバイスディスカバリ及び／又はデバイスツーデバイス通信のための拡張リソースの使用をそれぞれ可能にするコマンド及び不能にするコマンドをブロードキャストし得る。
【００２８】
ユーザ機器は、デバイスツーデバイスディスカバリ及び／又はデバイスツーデバイス通信のための拡張リソースの使用をそれぞれ可能にする及び不能にするために、専用シグナリングを実施し得る。
【００２９】
別の実施形態によると、デバイスツーデバイスグループのグループヘッドとして働くように構成されるユーザ機器が提供される。ユーザ機器は、セルラー通信ネットワークとの通信のために構成されるワイヤレスインタフェースを備える。ユーザ機器は、少なくとも１つの更なるユーザ機器がセルラー通信ネットワークのカバレッジ内に存在するのか、それともカバレッジ外に存在するのかを示す情報を、ワイヤレスインタフェースにおいて、少なくとも１つの更なるユーザインタフェースから受信するように構成される。ユーザ機器は、少なくとも１つの更なるユーザ機器がセルラー通信ネットワークのカバレッジ内に存在するのか、それともカバレッジ外に存在するのかに依存して、デバイスツーデバイスディスカバリ及び／又はデバイスツーデバイス通信のために少なくとも１つの更なるユーザ機器によって使用されるデバイスツーデバイスリソースを制御するように構成される。
【００３０】
ユーザ機器は、少なくとも１つの更なるユーザ機器及びユーザ機器の両方がセルラー通信ネットワークのカバレッジ外に存在する場合に、少なくとも１つの更なるユーザ機器による、デバイスツーデバイスディスカバリ及び／又はデバイスツーデバイス通信のためのリソース拡張の使用を選択的に可能にするように構成され得る。
【００３１】
ユーザ機器は、少なくとも１つの更なるユーザ機器又はユーザ機器がセルラー通信ネットワークのカバレッジ内に存在する場合に、少なくとも１つの更なるユーザ機器による、デバイスツーデバイスディスカバリ及び／又はデバイスツーデバイス通信のためのリソース拡張の使用を選択的に不能にするように構成され得る。
【００３２】
一実施形態による通信システムは、デバイスツーデバイスグループを備える。デバイスツーデバイスグループは、セルラー通信ネットワークとの通信のために構成される複数のデバイスを含み、デバイスツーデバイスグループの各デバイスは、デバイスツーデバイスディスカバリ及びデバイスツーデバイス通信のために更に構成される。デバイスツーデバイスグループの少なくとも１つのデバイスは、一実施形態によるユーザ機器として構成される。
【００３３】
デバイスツーデバイスグループは、グループヘッドを含み得る。グループヘッドは、デバイスツーデバイスグループの全てのデバイスがセルラー通信ネットワークのカバレッジ外に移動するか、又はセルラー通信ネットワークのカバレッジ外に存在するかどうかを判定するように構成され得る。グループヘッドは、複数のデバイスが、デバイスツーデバイスディスカバリ及び／又はデバイスツーデバイス通信のために拡張リソースを使用することを選択的に可能にするように構成され得る。
【００３４】
グループヘッドは、デバイスツーデバイスグループの少なくとも１つのデバイスがセルラー通信ネットワークのカバレッジ内に移動するか、又はセルラー通信ネットワークのカバレッジ内に存在する場合に、デバイスツーデバイスディスカバリ及び／又はデバイスツーデバイス通信のための拡張リソースの使用を不能にするように更に構成され得る。
【００３５】
一実施形態による、ユーザ機器を制御する方法が提供される。ユーザ機器は、セルラー通信ネットワークとの通信のために構成されるワイヤレスインタフェースを備える。この方法は、ユーザ機器がセルラー通信ネットワークのカバレッジ外に移動するか、又はカバレッジ外に存在するかどうかを判定することを含む。この方法は、ワイヤレスインタフェースを通じたデバイスツーデバイスディスカバリ及び／又はデバイスツーデバイス通信のためにデバイスツーデバイスリソースを使用することを含み、デバイスツーデバイスリソースは、ユーザ機器がセルラー通信ネットワークのカバレッジ外に移動するか、又はカバレッジ外に存在するかどうかに依存する。
【００３６】
この方法は、一実施形態によるユーザ機器又は通信システムにより、実施され得る。
【００３７】
この方法において、デバイスツーデバイスディスカバリ及び／又はデバイスツーデバイス通信のための拡張リソースの使用は、少なくともユーザ機器がセルラー通信ネットワークのカバレッジ外に移動するか、又はセルラー通信ネットワークのカバレッジ外に存在する場合に、選択的に可能にされ得る。
【００３８】
拡張リソースの使用が可能にされるとき、デバイスツーデバイスディスカバリ及び／又はデバイスツーデバイス通信を実施するために、拡張リソースにより構成されるリソースプールから採用されるリソースと、予め構成されたデバイスツーデバイスリソースとが使用され得る。
【００３９】
この方法では、デバイスツーデバイスグループの全てのデバイスがセルラー通信ネットワークのカバレッジ外に移動するか、又はセルラー通信ネットワークのカバレッジ外に存在する場合に、デバイスツーデバイスディスカバリ及び／又はデバイスツーデバイス通信のための拡張リソースの使用が可能にされ得る。デバイスツーデバイスグループは、ユーザ機器を含む。
【００４０】
この方法では、デバイスツーデバイスグループの少なくとも１つのデバイスがセルラー通信ネットワークのカバレッジ内に移動するか、又はセルラー通信ネットワークのカバレッジ内に存在する場合に、デバイスツーデバイスディスカバリ及び／又はデバイスツーデバイス通信のための拡張リソースの使用が不能にされ得る。
【００４１】
この方法は、ユーザ機器がセルラー通信ネットワークのカバレッジ外に移動したこと、又は、ユーザ機器がセルラー通信ネットワークのカバレッジ外に存在すること、を示す情報をユーザ機器のワイヤレスインタフェースによって送信することを含み得る。
【００４２】
この方法は、情報に応答してワイヤレスインタフェースにおいてメッセージを受信することを含み得る。当該メッセージは、ユーザ機器が、デバイスツーデバイスディスカバリ及び／又はデバイスツーデバイス通信のために拡張リソースを使用することを可能にし得る。
【００４３】
メッセージは、デバイスツーデバイスグループのグループヘッドにより送信され得る。グループヘッドは、それにより、デバイスツーデバイスグループの全てのデバイスに拡張リソースを使用させる制御シグナリングを実施し得る。
【００４４】
この方法は、デバイスツーデバイスグループのグループヘッドから、デバイスツーデバイスディスカバリ及び／又はデバイスツーデバイス通信のためのリソース拡張の使用をユーザ機器に不能にさせる別のメッセージを受信することを含み得る。グループヘッドは、それにより、デバイスツーデバイスグループの全てのデバイスに拡張リソースの使用を中止させる制御シグナリングを実施し得る。
【００４５】
グループヘッドは、デバイスツーデバイスグループの少なくとも１つのデバイスがセルラー通信ネットワークのカバレッジ内に移動すると、デバイスツーデバイスディスカバリ及び／又はデバイスツーデバイス通信のためのリソース拡張の使用を不能にする他のメッセージを送信し得る。
【００４６】
この方法は、デバイスツーデバイスディスカバリ及び／又はデバイスツーデバイス通信のための拡張リソースの使用が可能にされない場合に、セルラー通信ネットワークとの通信のために拡張リソースを使用することを含み得る。
【００４７】
拡張リソースは、スケジューリング割り当てリソースとして、及び、データリソースとして、使用され得る。このケースでは、スケジューリング割り当てを送信又は受信するためのスケジューリング割り当てリソースと、デバイスツーデバイス通信を介してデータを送信又は受信するためのデータリソースとの両方が、拡張リソース内に含まれ得る。
【００４８】
この方法において、拡張リソース内のスケジューリング割り当てリソース及びデータリソースは、例えば、周波数及び／又は時間のオフセットにより、当初のスケジューリング割り当てリソース及び当初のデータリソースに関連付けられ得る。オフセット情報は、予め構成され得、又は、グループヘッドによりシグナリングされ得る。
【００４９】
拡張リソースは、データリソースとして使用され得る。拡張リソースとは異なるリソースは、スケジューリング割り当てリソースとして使用され得る。当初の予め構成されたスケジューリング割り当てリソース内のスケジューリング割り当ては、次いで、拡張されたリソース内のデータリソースを、予め構成されたデバイスツーデバイスリソース内の当初のデータリソースに動的にリンクさせるために使用され得る。
【００５０】
この方法は、デバイスツーデバイスディスカバリ及び／又はデバイスツーデバイス通信のための拡張リソースの使用が可能にされるかどうかに依存して、少なくとも１つのサービスを実行することを含み得る。少なくとも１つのサービスは、帯域幅閾値を上回る帯域幅要件を有し得る。
【００５１】
少なくとも１つのサービスは、ビデオ通話サービスを含み得る。
【００５２】
この方法は、デバイスツーデバイスグループの全てのデバイスがセルラー通信ネットワークのカバレッジ外に存在するかどうかをユーザ機器によりモニタリングすることを含み得る。
【００５３】
この方法は、デバイスツーデバイスグループの全てのデバイスがカバレッジ外に存在する場合に、拡張リソースの使用を可能にするメッセージをユーザ機器によりデバイスツーデバイスグループに送信することを含み得る。
【００５４】
この方法は、デバイスツーデバイスグループの少なくとも１つのデバイスがカバレッジ内に移動する場合に、拡張リソースの使用を不能にする別のメッセージをユーザ機器によりデバイスツーデバイスグループに送信することを含み得る。
【００５５】
この方法において、ユーザ機器は、デバイスツーデバイスディスカバリ及び／又はデバイスツーデバイス通信のための拡張リソースの使用をそれぞれ可能にするコマンド及び不能にするコマンドをブロードキャストし得る。
【００５６】
この方法において、ユーザ機器は、デバイスツーデバイスディスカバリ及び／又はデバイスツーデバイス通信のための拡張リソースの使用をそれぞれ可能にする及び不能にするために、専用シグナリングを実施し得る。
【発明の効果】
【００５７】
実施形態による方法、デバイス、及びシステムにおいて、ユーザ機器は、デバイスツーデバイスディスカバリ及び／又はデバイスツーデバイス通信のために拡張リソースを使用することを可能にされ得る。デバイスツーデバイスリソースは、それにより、ユーザ機器だけでなく、同じデバイスツーデバイスグループ内の他のデバイスがカバレッジ外に存在するときに、動的に増大され得、セルラー通信ネットワークの無線アクセスネットワークとの干渉の問題を生じ得ない。
【００５８】
上記の概要及び以下の詳細な説明に記載される特定の特徴が、この発明の特定の実施形態及び態様の文脈で説明されているが、これらの実施形態及び態様のこれらの特徴は、特に別の注記がなされない限り、互いに組み合わせてよい。
【図面の簡単な説明】
【００５９】
次に、類似する又は同一の参照番号が類似する又は同一の要素を指し示す、添付の図面を参照し、より詳細に、この発明の実施形態について説明する。
【００６０】
【図１】図１は、一実施形態による通信システムを示す。
【図２】図２は、デバイスツーデバイスグループの全てのデバイスがカバレッジ外に存在する、図１の通信システムを示す。
【図３】図３は、デバイスツーデバイスグループの１つのデバイスがカバレッジ内に存在する、図１の通信システムを示す。
【図４】図４は、一実施形態による通信システムのブロック図表示である。
【図５】図５は、拡張リソースの使用が可能にされないときの、デバイスツーデバイスディスカバリ及び／又はデバイスツーデバイス通信のためのリソースを例示する図である。
【図６】図６は、拡張リソースの使用が可能にされるときの、デバイスツーデバイスディスカバリ及び／又はデバイスツーデバイス通信のためのリソースを例示する図である。
【図７】図７は、拡張リソースの使用が可能にされるときの、デバイスツーデバイスディスカバリ及び／又はデバイスツーデバイス通信のためのリソースを例示する図である。
【図８】図８は、一実施形態による方法のフローチャートである。
【図９】図９は、一実施形態による方法のフローチャートである。
【図１０】図１０は、一実施形態による通信システムにおけるシグナリングを示す図である。
【図１１】図１１は、一実施形態による通信システムにおけるシグナリングを示す図である。
【図１２】図１２は、一実施形態による方法のフローチャートである。
【図１３】図１３は、一実施形態によるユーザ機器の機能ブロック図である。
【図１４】図１４は、拡張リソースのユーザを選択的に可能にするためにモニタリングされ得る品質インジケータを例示する図である。
【発明を実施するための形態】
【００６１】
以下において、より詳細に、この発明の例示的な実施形態について説明する。理解されなければならないことは、ここに記載される種々の例示的な実施形態の特徴が、特に別の注記がなされない限り、互いに組み合わされてよいという点である。同一の又は類似する参照番号は、同一の又は類似するコンポーネントを指す。
【００６２】
デバイスツーデバイス（Ｄ２Ｄ）通信についての或るユースケースを参照して例示的な実施形態について説明するが、理解されるべきことは、Ｄ２Ｄディスカバリ及びＤ２Ｄ通信のための技術が、公共安全のユースケース及び他の商用ユースケースを含めた多種多様なユースケースのために使用され得るという点である。或るセルラーモバイル通信ネットワーク、例えば、ＬＴＥ（Long  Term  Evolution）ネットワークの文脈で例示的な実施形態について説明するが、これらの実施形態は、このようなモバイル通信技術に記載されない。
【００６３】
デバイスツーデバイスリソースを予め構成した基地局を参照して例示的な実施形態について説明するが、理解されるべきことは、ユーザ機器が、例えば、リピータリレーか、又は、Ｄ２Ｄ通信のためにグループヘッドとして働く別のユーザ機器からも、予め構成されたデバイスツーデバイスリソースについての情報を受信し得るという点である。
【００６４】
図１は、一実施形態による通信システム１を示す。通信システム１は、セルラー通信ネットワークとして構成されるモバイル通信システムを含む。セルラー通信ネットワークは、各々がセルにサービスする複数の基地局を備え得る。図１は、基地局１１及び関連付けられるセル９を概略的に示す。基地局は、ワイヤレス無線通信を介して、又はオペレータコアネットワークを介して、互いに通信し得る。セルラー通信ネットワークは、ＬＴＥ（Long  Term  Evolution）ネットワークであり得る。セルラー通信ネットワークの無線アクセスネットワーク（ＲＡＮ）は、発展型ＵＴＲＡＮ（Ｅ−ＵＴＲＡＮ）であり得、基地局１１は、発展型ノードＢ（ｅＮｏｄｅＢ）である。基地局は、オペレータコアネットワーク内のモビリティ管理エンティティ（ＭＭＥ）及び／又はサービングゲートウェイ（Ｓ−ＧＷ）に接続され得る。
【００６５】
基地局１１は、ユーザ機器（ＵＥ）２、３、及び４が無線通信８を介して基地局１１と直接通信し得る、無線セル９を提供する。ＵＥ２、３、及び４は、セルラー通信ネットワークのＲＡＮとの通信のためにワイヤレスインタフェースをそれぞれ有し得る。
【００６６】
ＵＥ２、３、及び４の少なくとも１つは、Ｄ２Ｄディスカバリ及びＤ２Ｄ通信を実施することが可能である。当該技術の関連分野における専門用語によると、Ｄ２Ｄ通信という用語は、ＵＥ間において直接実施される、当該ＵＥ間の無線通信を指す。Ｄ２Ｄディスカバリ及び／又はＤ２Ｄ通信において送信される無線信号５、６、及び７は、セルラー通信ネットワークの基地局によって処理されないことがあり得る。Ｄ２Ｄディスカバリ及び／又はＤ２Ｄ通信において送信される無線信号５、６、及び７は、セルラー通信ネットワークのＲＡＮを通過しないことがあり得る。Ｄ２Ｄディスカバリ及び／又はＤ２Ｄ通信において送信される無線信号５、６、及び７は、ワイヤレスセルラー通信ネットワークのコアネットワークによって処理されないことがあり得る。Ｄ２Ｄディスカバリ及びＤ２Ｄ通信のために構成されるＵＥは、ＲＡＮと通信するために、及びＤ２Ｄの目的のために、同じワイヤレスインタフェースを使用し得る。Ｄ２Ｄディスカバリ及びＤ２Ｄ通信のために構成されるＵＥは、当該技術において、近接サービス（ＰｒｏＳｅ）対応のＵＥとも称され得る。
【００６７】
Ｄ２Ｄディスカバリ及び／又はＤ２Ｄ通信のために構成されるＵＥ２、３、及び４は、Ｄ２Ｄディスカバリの信号送信のために、及び／又はＤ２Ｄ通信のために、予め構成されたリソースを使用し得る。例示のため、少なくともスケジューリング割り当てのためのリソースは、セルラー通信ネットワークにより予め構成され得る。予め構成されたリソースは、ＵＥ２、３、及び４において、基地局１１か、リピータリレーか、又は別のＵＥにより、予め構成され得る。Ｄ２Ｄディスカバリ及び／又はＤ２Ｄ通信のために予め構成されたリソースは、ブロードキャストメッセージ若しくはマルチキャストメッセージにより、又は専用シグナリングにより、基地局１１によってそれぞれ割り当てられ得る。例示のため、ＵＥ２、３、及び４は、セルラー通信ネットワークにより送信され得るシステム情報ブロック（ＳＩＢ）において、Ｄ２Ｄディスカバリの信号送信のための割り当てられたリソースについての情報を、それぞれ受信し得る。代替的に、専用シグナリングが使用されてよい。
【００６８】
以下において、Ｄ２Ｄディスカバリ及び／又はＤ２Ｄ通信のためにＵＥ２、３、及び４によって使用され得るリソースは、デバイスツーデバイスリソースとも称される。Ｄ２Ｄリソースは、セルラー通信ネットワークにより予め構成されたリソースを含み得る。以下において図１〜図１４を参照してより詳細に解説するように、デバイスツーデバイスリソースは、１つの（複数の）ＵＥがセルラー通信ネットワークのカバレッジエリアを基準としていかに位置決めされているかに依存して、動的に調節され得る。
【００６９】
例示のため、デバイスツーデバイスグループ内に含まれる全てのＵＥ２、３、及び４がセルラー通信ネットワークのカバレッジ外に存在するか、又はカバレッジ外に移動する場合、拡張リソースの使用が動的に可能にされ得る。
【００７０】
ＵＥ２、３、及び４の１つ又は幾つかが、セルラー通信ネットワークのカバレッジ内に移動するか、又はカバレッジ内に位置付けられている場合、拡張リソースの使用は不能にされ得る。このケースにおいて、拡張リソースは、Ｄ２Ｄディスカバリシグナリング及び／又はＤ２Ｄ通信から独立した状態に置かれ得、セルラー通信ネットワークのＲＡＮとの通信のために使用され得る。
【００７１】
拡張リソースは、ＵＥがセルラー通信ネットワークのカバレッジ外に存在する場合にのみ、Ｄ２Ｄディスカバリ及び／又はＤ２Ｄ通信のために選択的に使用される、カバレッジ外（ＯｏＣ）拡張リソースであり得る。拡張リソースは、全てのＵＥがセルラー通信ネットワークのカバレッジ外に存在し、拡張リソースを使用するときにＲＡＮとの干渉を生じる見込みがない場合にのみ、Ｄ２Ｄディスカバリ及び／又はＤ２Ｄ通信のために選択的に使用され得る。
【００７２】
図１〜図３は、一実施形態による通信システムの様々な条件を例示する。複数のＵＥ２、３、及び４は、デバイスツーデバイスグループを形成し得る。
【００７３】
図１は、デバイスツーデバイスグループのＵＥ２、３、及び４が全て、セルラー通信システムのカバレッジ内に位置付けられている条件を示している。デバイスツーデバイスリソースは、無線シグナリングを介してセルラー通信ネットワークにより予め構成され得る。デバイスツーデバイスリソースは、ＵＥ２、３、及び４の１つ又は幾つかがカバレッジ外に移動するケースに対し、予め構成され得る。
【００７４】
図２は、デバイスツーデバイスグループのＵＥ２、３、及び４が全て、セルラー通信システムのカバレッジ外に位置付けられている条件を示している。このケースでは、Ｄ２Ｄディスカバリ及び／又はＤ２Ｄ通信のための拡張リソースの使用。Ｄ２Ｄディスカバリ及び／又はＤ２Ｄ通信のために、当初の予め構成されたＤ２Ｄリソースに加え、拡張リソースが使用され得る。
【００７５】
拡張リソースを、当初の予め構成されたＤ２Ｄリソースと組み合わせるために、様々な技術が使用されてよい。例示のため、拡張リソースは、スケジューリング割り当て及びデータの両方のために使用され得る。拡張リソース内のリソースと、当初の予め構成されたＤ２Ｄリソースとの間に関係性が存在することがあり得、この関係性は、拡張リソース内のリソースを、当初の予め構成されたＤ２Ｄリソース内のリソースにリンクさせる。更なる例示のため、拡張リソースは、データのみのために使用され得、全てのスケジューリング割り当ては、当初の予め構成されたＤ２Ｄリソース内に保持される。当初の予め構成されたＤ２Ｄリソース内のスケジューリング割り当ては、次いで、それぞれのデータが送信される拡張リソースへのリンクを提供する。
【００７６】
図３は、ＵＥの少なくとも１つがセルラー通信ネットワークのカバレッジ内に移動した条件を示している。Ｄ２Ｄディスカバリ及び／又はＤ２Ｄ通信のための拡張リソースの使用は、グループの全てのＵＥ２、３、及び４について不能にされ得る。Ｄ２Ｄディスカバリ及び／又はＤ２Ｄ通信は、予め構成されたリソースに限定され得る。拡張リソースは、無線アクセスネットワークとの通信に、再度、利用可能にされる。
【００７７】
拡張リソースは、当初の予め構成されたＤ２Ｄリソースのリソースブロックの数よりも多い数のリソースブロックを、時間−周波数リソースグリッドにおいて含み得る。拡張リソースは、当初の予め構成されたＤ２Ｄリソースのサブキャリア周波数の数よりも多い数のサブキャリア周波数を、時間−周波数リソースグリッドにおいて含み得る。
【００７８】
デバイスツーデバイスグループの全てのＵＥ２、３、及び４がセルラー通信ネットワークのカバレッジ外に位置付けられているか否かに依存して、デバイスツーデバイスグループのＵＥ２、３、及び４がＤ２Ｄリソースを適合することを可能にするために、様々な技術が使用されてよい。
【００７９】
幾つかの実装例において、デバイスツーデバイスグループのＵＥ３は、グループヘッドとして働き得る。グループヘッドとして働くＵＥ３は、グループ内の他のＵＥ２及び４のそれぞれがカバレッジ内に存在するのか、それともカバレッジ外に存在するのかを示すレポートを、当該他のＵＥ２及び４から受信し得る。このレポートには、ＲＡＮの信号強度についての信号品質インジケータが含まれ得る。例示のため、他のＵＥ２及び４により測定された信号対雑音干渉比（ＳＩＮＲ）が、グループヘッドとして働くＵＥ３に報告され得る。
【００８０】
全てのＵＥがカバレッジ外に存在する場合、グループヘッドとして働くＵＥ３は、一対多又は一対一のシグナリングを使用して、グループ内の他のＵＥ２及び４が、Ｄ２Ｄディスカバリ及び／又はＤ２Ｄ通信のために拡張リソースの使用を開始することを可能にし得る。Ｄ２Ｄディスカバリ及び／又はＤ２Ｄ通信のための拡張リソースの使用が可能にされ得るかどうかを判定するために、付加的な基準が使用されてよい。例示のため、デバイスツーデバイスグループの各ＵＥ２、３、及び４により測定されたＳＩＮＲは、適切なセルが検出される閾値よりも小さい、活性化閾値と比較され得る。Ｄ２Ｄディスカバリ及び／又はＤ２Ｄ通信のための拡張リソースの使用は、デバイスツーデバイスグループの各ＵＥ２、３、及び４についてのＳＩＮＲが活性化閾値未満である場合にのみ、選択的に可能にされ得る。同様に、Ｄ２Ｄディスカバリ及び／又はＤ２Ｄ通信のための拡張リソースの使用は、ＵＥ２、３、及び４の少なくとも１つにより検出されたＳＩＮＲが活性化閾値を上回る場合、不能にされ得る。
【００８１】
代替的に又は付加的に、グループヘッドによる拡張リソースの使用を可能にし、及び不能にするために、ＵＥ２、３及び４の各々は、当該ＵＥがカバレッジ内に存在するのか、それともカバレッジ外に存在するのかについての情報を、同じデバイスツーデバイスグループ内の他の全てのＵＥ２、３、及び４にブロードキャストし得る。ＵＥ２、３及び４の各々は、デバイスツーデバイスグループ内の他の全てのＵＥ２、３、及び４のステータスを追跡し得る。同じデバイスツーデバイスグループの全てのＵＥがカバレッジ外に存在する場合、各ＵＥは、Ｄ２Ｄディスカバリ及び／又はＤ２Ｄ通信のために拡張リソースの使用を開始し得る。同じデバイスツーデバイスグループの１つのＵＥがカバレッジ内に戻ってくる場合、デバイスツーデバイスグループの全てのＵＥは、Ｄ２Ｄディスカバリ及び／又はＤ２Ｄ通信のための拡張リソースの使用を不能にし得る。
【００８２】
図４は、一実施形態による通信システム１の概略ブロック図である。
【００８３】
ＵＥ２は、ワイヤレスインタフェース２０を有する。ワイヤレスインタフェース２０は、ＲＡＮ１０と通信するように構成され得る。ワイヤレスインタフェース２０は、Ｅ−ＵＴＲＡエアインタフェースを通じた通信のために構成され得る。
【００８４】
ＵＥ２は、ワイヤレスインタフェース２０に接続された処理デバイス２４を有する。処理デバイス２４は、１つ若しくは幾つかのマイクロプロセッサ、１つ若しくは幾つかのマイクロコントローラ、１つ若しくは幾つかのプロセッサ、１つ若しくは幾つかのコントローラ、１つ若しくは幾つかの特定用途向け集積回路（ＡＳＩＣ）、及び／又は、このようなデバイスの組合せを備え得る。
【００８５】
処理デバイス２４は、ワイヤレスインタフェース２０においてセルラー通信ネットワークから受信されたシグナリングから、予め構成されたＤ２Ｄリソースについての情報を取り出すように構成され得る。処理デバイス２４は、Ｄ２Ｄディスカバリ及び／又はＤ２Ｄ通信のためにどのリソースが使用され得るかを制御するように構成され得る。デバイスツーデバイスグループ内の全てのＵＥ２、３、及び４がセルラー通信ネットワークのカバレッジ外に存在するか、又はカバレッジ外に移動する場合、処理デバイス２４は、当初の予め構成されたリソースに比べ、Ｄ２Ｄリソースの量を選択的に増大させるように構成され得る。ＵＥ２、３、及び４の１つがセルラー通信ネットワークのカバレッジ内に移動する場合、処理デバイス２４は、Ｄ２Ｄリソースを、当初の予め構成されたリソースに選択的に限定するように構成され得る。
【００８６】
処理デバイス２４は、ワイヤレスインタフェース２０の送信機経路２３を制御して、更なるＵＥ３にアンテナ２１を介してＤ２Ｄディスカバリ信号を送信し、ＵＥ２がＤ２Ｄ通信のために更なるＵＥを探していることを示す、及び／又は、ＵＥ２がＤ２Ｄ通信を実施することが可能になるであろうことを示す、ように構成され得る。処理デバイス２４は、送信のためにＤ２Ｄリソースから選択されたリソースを使用するように構成され得、このことは、ＵＥ２並びに同じグループ内の他のＵＥ３及び４がカバレッジ内に存在するのか、それともカバレッジ外に存在するのかに依存する。処理デバイス２４は、ワイヤレスインタフェース２０の受信機経路２２に結合されて、デバイスツーデバイスグループのグループヘッド３又は別のＵＥ４から受信されたメッセージを処理し得る。例示のため、処理デバイス２４は、グループヘッド３及び／又は他のＵＥ４からのシグナリングを復号して、Ｄ２Ｄディスカバリ及び／又はＤ２Ｄ通信のために拡張リソースの使用が可能にされ得るかどうかを判定し得る。
【００８７】
グループヘッドとして働くＵＥ３と、他のＵＥ４とは、ＵＥ２について解説された構成及び動作にほぼ対応する構成及び動作を有し得る。ＵＥ３は、ＲＡＮ並びにＵＥ２及び４との通信のために構成されるワイヤレスインタフェース３０を備え得る。ワイヤレスインタフェース３０は、アンテナ３１、受信機経路３２、及び送信機経路３２を備え得る。グループヘッドとして働くＵＥ３は、ワイヤレスインタフェース３０に結合された処理デバイス３４を備え得る。
【００８８】
処理デバイス３４は、デバイスツーデバイスグループの全てのＵＥ２、３、及び４がカバレッジ外に存在するかどうかを判定するように構成され得る。処理デバイス３４は、ワイヤレスインタフェースを制御して、全てのＵＥ２、３、及び４がカバレッジ外に存在するかどうかに依存して、ＵＥ２及び４がＤ２Ｄディスカバリ及び／又はＤ２Ｄ通信のために拡張リソースを使用することを選択的に可能にする、ように構成され得る。処理デバイス３４は、デバイスツーデバイスグループのＵＥ２、３、及び４の少なくとも１つがセルラー通信ネットワークのカバレッジ内に存在するかどうかを判定するように構成され得る。処理デバイス３４は、ワイヤレスインタフェースを制御して、ＵＥ２、３、及び４の少なくとも１つがカバレッジ内に存在するかどうかに依存して、Ｄ２Ｄディスカバリ及び／又はＤ２Ｄ通信のための拡張リソースの使用を選択的に不能にする、ように構成され得る。
【００８９】
他のＵＥ４は、ＵＥ２について解説された構成及び動作にほぼ対応する構成及び動作を有し得る。ＵＥ４は、ＲＡＮ並びにＵＥ３及び４との通信のために構成されるワイヤレスインタフェース２５を備え得る。ワイヤレスインタフェース２５は、アンテナ２６、受信機経路２７、及び送信機経路２８を備え得る。ＵＥ４は、ＵＥ２の処理デバイスについて解説されたように構成され得る、ワイヤレスインタフェース２５に結合された処理デバイス２９を備え得る。
【００９０】
図５は、時間−周波数リソースグリッドを例示する。リソースは、時間ドメインに、例えばフレーム４１及び４２に、並びに、周波数ドメインに、細分され得る。周波数ドメインにおいては、複数のサブキャリア周波数が利用可能であり得る。
【００９１】
Ｄ２Ｄリソース５０は、予め構成され得、ＵＥに、例えばユニバーサル集積回路カード（ＵＩＣＣ）に記憶され得るか、又は、セルラー通信ネットワークにより記憶され得る。拡張リソース５３は、予め定義された基準が満たされたとき、例えば、デバイスツーデバイスグループの全てのＵＥがセルラー通信ネットワークのカバレッジ外に存在するとき、及び／又は、ユーザが或るジオロケーションエリア内に存在するときに、Ｄ２Ｄディスカバリ及び／又はＤ２Ｄ通信のためにのみ使用され得る。デバイスツーデバイスグループの少なくとも１つのＵＥがカバレッジ内又は部分的カバレッジ内に存在する間、拡張リソース５３は、セルラー通信ネットワークのシグナリング及びデータ送信との干渉を防止するために、Ｄ２Ｄディスカバリ及び／又はＤ２Ｄ通信から独立した状態に置かれ得る。
【００９２】
Ｄ２Ｄリソース５０は、スケジューリング割り当て（ＳＡ）リソース５１を含み得る。スケジューリング割り当ては、ＳＡリソース５１において送信され得る。Ｄ２Ｄリソース５０は、データ送信のためにデータリソース５２を含み得る。データは、データリソース５２のサブキャリア周波数及びシンボル６２において送信され得る。サブキャリア周波数及びシンボル６２は、ＳＡリソース５１内の、関連付けられるスケジューリング割り当て６１によって指定され得る。
【００９３】
図６は、デバイスツーデバイスグループの全てのＵＥがカバレッジ外に存在するときに、時間−周波数リソースグリッドを使用する１つの手法を例示する。
【００９４】
Ｄ２Ｄリソースは、動的に拡張されて、予め構成された当初のＤ２Ｄリソース５０に加え、拡張リソース５３を含む。図６に示されるリソース使用方式において、拡張リソース５３は、ＳＡリソース及びデータリソースの両方として使用され得る。スケジューリング割り当て６３は、拡張リソース５３において送信され得る。関連付けられるデータは、拡張リソース５３のサブキャリア周波数及びシンボル６４において送信され得る。
【００９５】
スケジューリング割り当て送信及びデータ送信のために使用される、拡張リソース５３のサブキャリア周波数及び／又はシンボル６３、６４、６５、及び６６は、当初の予め構成されたＤ２Ｄリソース５０のそれぞれのサブキャリア周波数及び／又はシンボル６１及び６２にリンクされ得る。例示のため、スケジューリング割り当て送信及びデータ送信のために使用される、拡張リソース５３のサブキャリア周波数及び／又はシンボル６３、６４、６５、及び６６は、当初の予め構成されたＤ２Ｄリソース５０におけるそれぞれのサブキャリア周波数及び／又はシンボル６１及び６２を基準として、周波数オフセット及び／又は時間オフセットを有し得る。
【００９６】
予め構成された当初のＤ２Ｄリソース５０における、ＳＡリソース６１及びデータリソース６２は、一対一マッピングにより、互いにリンクされ得る。例示のため、データリソース６２を、予め構成された当初のＤ２Ｄリソース５０の時間−周波数リソースグリッド内のＳＡリソース６１にリンクさせる一対一マッピングが存在し得る。このマッピングは、拡張リソース５３のために再利用され得、即ち、拡張リソース５３は、予め構成された当初のＤ２Ｄリソース５０から既知である時間−周波数リソースグリッド内のＳＡリソースとデータリソースとの間のマッピングを拡張リソース５３に引き継ぐために、このマッピングを再利用し得る。マッピングは、周波数及び／又は時間のオフセットを含み得る。例示のため、ＳＡリソース６３及びデータリソース６４は、予め構成された当初のＤ２Ｄリソース５０内のＳＡリソース６１及びデータリソース６２に比べ、時間及び／又は周波数の第１のオフセットを有し得る。ＳＡリソース６５及びデータリソース６６は、予め構成された当初のＤ２Ｄリソース５０内のＳＡリソース６１及びデータリソース６２に比べ、時間及び／又は周波数の第２のオフセットを有し得る。この（これらの）オフセットは、予め構成され得る。この（これらの）オフセットは、例えば、デバイスツーデバイスグループのグループヘッドによりシグナリングされ得る。
【００９７】
図７は、デバイスツーデバイスグループの全てのＵＥがカバレッジ外に存在するときに、時間−周波数リソースグリッドを使用する別の手法を例示する。
【００９８】
Ｄ２Ｄリソースは、動的に拡張されて、当初の予め構成されたＤ２Ｄリソース５０に加え、拡張リソース５３を含む。図７に示されるリソース使用方式において、拡張リソース５３は、データリソースとして使用され得る。スケジューリング割り当ては、拡張リソース５３において送信されないが、当初の予め構成されたＤ２Ｄリソース５０内に保持される。スケジューリング割り当て６１は、例えば、データ送信のために使用される、拡張リソース５３のサブキャリア周波数及び／又はシンボル６７を示すことにより、拡張リソース５３へのリンクを提供し得る。
【００９９】
実施形態によるＵＥは、図６を参照して解説されたような、ＳＡ送信及びデータ送信のための拡張リソース５３の使用と、図７を参照して解説されたような、データ送信のみのための拡張リソース５３の使用と、の両方のために構成され得る。
【０１００】
拡張リソース５３を使用する、どの方式が利用されるかについての情報は、スケジューリング割り当て内に含まれ得る。例示のため、スケジューリング割り当てが当初の予め構成されたＤ２Ｄリソース５０内に保持される通常のスケジューリングが実施されるかどうか、又は、スケジューリング割り当てが拡張リソース５３内にも含まれ得る拡張されたスケジューリングが実施されるかどうか、は１つの情報ビット又は複数の情報ビットにより示され得る。例えば、グループヘッドからこのようなスケジューリング割り当てを受信することに応答して、ＵＥ２及び４は、更なるスケジューリング割り当てが、当初の予め構成されたＤ２Ｄリソース５０上でのみ受信されるかどうか、又は、拡張リソース５３内にも含まれ得るかどうか、を判定することができる。
【０１０１】
図８は、一実施形態による方法８０のフローチャートである。方法８０は、一実施形態によるユーザ機器によって実施され得る。
【０１０２】
８１において、ユーザ機器は、Ｄ２Ｄディスカバリ及び／又はＤ２Ｄ通信を実施するために、予め構成されたＤ２Ｄリソースを使用し得る。ユーザ機器は、Ｄ２Ｄディスカバリ及び／又はＤ２Ｄ通信を実施するために予め構成されたＤ２Ｄリソースを使用する間、カバレッジ内に存在し得る。
【０１０３】
８２において、ユーザ機器は、Ｄ２Ｄディスカバリ及び／又はＤ２Ｄ通信を実施するために、予め構成されたＤ２Ｄリソースに加え、拡張リソースの使用を可能にするための基準が満たされているかどうかを判定し得る。８２において判定を実施するために、種々の技術が使用されてよい。ユーザ機器は、同じデバイスツーデバイスグループ内に含まれる他の全てのユーザ機器がセルラー通信ネットワークのカバレッジ外に存在するかどうかをモニタリングし得る。ユーザ機器は、ネットワーク品質についてのそれ自身のＳＩＮＲ又は他の品質インジケータを評価して、Ｄ２Ｄディスカバリ及び／又はＤ２Ｄ通信を実施するための拡張リソースの使用が可能にされ得るかどうかを判定し得る。ユーザ機器は、他のユーザ機器、例えば同じグループ内の他のユーザ機器によってユーザ機器に報告されたネットワーク品質についてのＳＩＮＲ又は他の品質インジケータを評価して、Ｄ２Ｄディスカバリ及び／又はＤ２Ｄ通信を実施するための拡張リソースの使用が可能にされ得るかどうかを判定し得る。ユーザ機器は、当該ユーザ機器の周囲のいずれかの適切なセルが干渉を生じ得るかどうかを評価し得る。ユーザ機器は、デバイスツーデバイスグループのグループヘッドからのシグナリングをモニタリングして、拡張リソースの使用が選択的に可能にされるかどうかを判定し得る。ユーザ機器は、自身の位置付けに基づいて、１つ又は幾つかの、予め定義されたジオロケーションの制約を評価し得る。基準が満たされない場合、ユーザ機器は、８１において、予め構成されたＤ２Ｄリソースのみを引き続き使用し得る。
【０１０４】
Ｄ２Ｄディスカバリ及び／又はＤ２Ｄ通信のために拡張リソースを使用するための基準が満たされる場合、ユーザ機器は、８３において、Ｄ２Ｄディスカバリ及び／又はＤ２Ｄ通信のために拡張リソースの使用を開始し得る。ユーザ機器は、例えばグループヘッドから受信されたスケジューリング割り当てに基づいて、スケジューリング割り当てがリソース拡張内にも含まれ得るかどうかを判定し得る。ユーザ機器は、スケジューリング割り当てがリソース拡張内にも含まれ得るかどうかに依存して、スケジューリング割り当てのための拡張リソースを選択的にモニタリングし得る。データは、スケジューリング割り当てによって指定されるような、当初の予め構成されたＤ２Ｄリソース又は拡張リソースのいずれかにおけるサブキャリア周波数及びシンボルから、取り出され得る。
【０１０５】
８４において、ユーザ機器は、Ｄ２Ｄディスカバリ及び／又はＤ２Ｄ通信を実施するために、予め構成されたＤ２Ｄリソースに加え、拡張リソースを使用するための基準が、依然として満たされているかどうかを判定し得る。このことは、８２を参照して説明された手法のいずれか１つにおいて実装されてよい。例示のため、ユーザ機器は、デバイスツーデバイスグループ内の他のユーザ機器のいずれか１つでもカバレッジ内に移動するかどうかをモニタリングし得る。ユーザ機器は、デバイスツーデバイスグループのグループヘッドからのシグナリングをリッスンし、拡張リソースの使用が不能にされるかどうかを判定し得る。ユーザ機器は、当該ユーザ機器自身がカバレッジ内に移動するかどうかをモニタリングし得る。基準が満たされない場合、ユーザ機器は、８１において、Ｄ２Ｄディスカバリ及び／又はＤ２Ｄ通信のために、予め構成されたＤ２Ｄリソースのみを再び使用し得る。
【０１０６】
拡張リソースを使用するための基準が依然として満たされている場合、ユーザ機器は、８５において、当初の予め構成されたＤ２Ｄリソース及び拡張リソースの両方を含む、拡張されたＤ２Ｄリソースを引き続き使用し得る。
【０１０７】
図９は、一実施形態による方法９０のフローチャートである。方法９０は、一実施形態によるユーザ機器により実施され得る。ユーザ機器は、デバイスツーデバイスグループ内に含まれ得る。デバイスツーデバイスグループは、互いにＤ２Ｄ通信を実施することが可能な複数のデバイスを含み得る。方法９０は、デバイスツーデバイスグループのグループヘッドとして働かないユーザ機器によって実施され得、又は、グループヘッドとして働くユーザ機器によって実施され得る。デバイスツーデバイスグループのデバイスは、互いにＤ２Ｄ通信を実施するために、及び、セルラー通信ネットワークとの通信のために、同じワイヤレスインタフェースを使用し得る。
【０１０８】
９１において、ユーザ機器は、デバイスツーデバイスグループのどのデバイスがセルラー通信ネットワークのカバレッジ内に存在し、デバイスツーデバイスグループのどのデバイスがセルラー通信ネットワークのカバレッジ外に存在するのかをモニタリングし得る。デバイスツーデバイスグループの全てのデバイスは、それらがカバレッジ内に存在するのか、それともカバレッジ外に存在するのかについての情報をブロードキャストし得る。代替的に、デバイスツーデバイスグループの全てのデバイスは、一対一シグナリングを実施して、それらがカバレッジ内に存在するのか、それともカバレッジ外に存在するのかについての情報を、グループヘッドに報告し得る。当該情報は、信号品質インジケータ、例えば、デバイスツーデバイスグループのそれぞれのデバイスによって測定されたＳＩＮＲを含み得る。
【０１０９】
９２において、ユーザ機器は、デバイスツーデバイスグループの全てのデバイスがセルラー通信ネットワークのカバレッジ外に存在するかどうかを判定し得る。少なくとも１つのデバイスでさえもカバレッジ外に存在しない場合、９１においてモニタリングが継続され得る。
【０１１０】
デバイスツーデバイスグループの全てのデバイスがセルラー通信ネットワークのカバレッジ外に存在する場合、９３において、拡張リソースの使用が可能にされる。拡張リソースは、スケジューリング割り当てリソース及びデータリソースとして使用され得る。拡張リソースは、スケジューリング割り当てが当初の予め構成されたＤ２Ｄリソース内に依然として含まれている状態で、データリソースとしてのみ使用され得る。
【０１１１】
９４において、ユーザ機器は、デバイスツーデバイスグループの少なくとも１つのデバイスがセルラー通信ネットワークのカバレッジ内に戻ったかどうかを判定し得る。
【０１１２】
デバイスツーデバイスグループのいずれのデバイスもセルラー通信ネットワークのカバレッジ内に戻らなかった場合、拡張リソースは、９５において、データリソースとして、及び任意にＳＡリソースとしても、引き続き使用され得る。この方法は、９４に戻り得る。
【０１１３】
デバイスツーデバイスグループの少なくとも１つのデバイスがセルラー通信ネットワークのカバレッジ内に戻った場合、Ｄ２Ｄディスカバリ及び／又はＤ２Ｄ通信のための拡張リソースの使用は、９６において不能にされ得る。全てのスケジューリング割り当て送信及びデータ送信は、当初の予め構成されたＤ２Ｄリソースのみを使用して行われる。
【０１１４】
デバイスツーデバイスリソースを動的に調節するために、ユーザ機器によって様々な技術が使用されてよい。図１０及び図１１のシグナリング図を参照し、例示的な実装例について、より詳細に解説する。
【０１１５】
図１０は、Ｄ２Ｄディスカバリ及び／又はＤ２Ｄ通信のためのデバイスツーデバイスリソースを制御するために使用されるシグナリングを例示する図である。ユーザ機器（ＵＥ）は、グループヘッドとして働く別のＵＥと共に、Ｄ２Ｄシグナリングを実施する。
【０１１６】
ＵＥは、当該ＵＥがカバレッジ外に存在するか、又はカバレッジ外に移動することを検出することに応答して、カバレッジ外情報９１を送信する。カバレッジ外情報９１は、ＲＡＮとの通信のために構成される同じインタフェースを介して送信され得る。カバレッジ外情報９１は、グループヘッドに直接送信され得る。カバレッジ外情報９１は、一対一メッセージとして送信され得る。
【０１１７】
ＵＥは、デバイスツーデバイスグループの他の全てのデバイスが、同じくカバレッジ外に存在する場合、グループヘッドからメッセージ９２を受信する。メッセージ９２は、Ｄ２Ｄディスカバリ及び／又はＤ２Ｄ通信のための拡張リソースの使用を可能にする。メッセージ９２は、デバイスツーデバイスグループの全てのデバイスがカバレッジ外に存在するか、又はカバレッジ外に移動する場合に、グループヘッドにより選択的に生成され得る。カバレッジ外情報９１は、一対一メッセージとして送信され得る。メッセージ９２は、デバイスツーデバイスグループにブロードキャストされ得る。メッセージ９２は、一対一メッセージとしてされ得る。
【０１１８】
ＵＥは、当該ＵＥがカバレッジ内に存在するか、又はカバレッジ内に移動することを検出することに応答して、カバレッジ内情報９３を送信する。カバレッジ内情報９３は、ＲＡＮとの通信のために構成される同じインタフェースを介して送信され得る。カバレッジ内情報９３は、グループヘッドに直接送信され得る。カバレッジ内情報９３は、一対一メッセージとして送信され得る。
【０１１９】
カバレッジ内情報９３の受信は、グループヘッドをトリガして、デバイスツーデバイスグループ全体についてのＤ２Ｄ通信及び／又はＤ２Ｄディスカバリのための拡張リソースの使用を終了させる。グループヘッドは、Ｄ２Ｄ通信及び／又はＤ２Ｄディスカバリのための拡張リソースの使用を不能にするために、デバイスツーデバイスグループに別のメッセージ９４をブロードキャストし得る。
【０１２０】
図１０には、ＵＥについてのカバレッジ内イベントが例示されているが、Ｄ２Ｄ通信及び／又はＤ２Ｄディスカバリのための拡張リソースの使用は、デバイスツーデバイスグループのいずれかの他のデバイスがセルラー通信ネットワークのカバレッジ内に移動すると、同じく終了される。
【０１２１】
図１０は、Ｄ２Ｄディスカバリ及び／又はＤ２Ｄ通信のためのデバイスツーデバイスリソースを制御するために使用されるシグナリングを例示する図である。ユーザ機器（ＵＥ）は、図１１においてＵＥ  Ｂ及びＵＥ  Ｃと表記される他のＵＥとＤ２Ｄシグナリングを実施する。
【０１２２】
ＵＥは、当該ＵＥがカバレッジ外に存在するか、又はカバレッジ外に移動することを検出することに応答して、カバレッジ外情報１０１を送信する。カバレッジ外情報１０１は、ＲＡＮとの通信のために構成される同じインタフェースを介して送信され得る。カバレッジ外情報１０１は、デバイスツーデバイスグループ内の全てのデバイスにブロードキャストされ得る。
【０１２３】
デバイスツーデバイスグループの他の全てのデバイスが、同じくカバレッジ外に存在する場合、最後のＵＥが同じくカバレッジ外に移動したことの検出は、１０２において、グループ内の全てのデバイスをトリガして、Ｄ２Ｄディスカバリ及び／又はＤ２Ｄ通信のために拡張リソースの使用を可能にさせる。このケースでは、グループヘッドからの専用シグナリングは必要とされない。これらのＵＥは、グループの全てのＵＥがカバレッジ外に存在するかどうかをそれら自身がモニタリングし得る。
【０１２４】
ＵＥは、当該ＵＥがカバレッジ内に存在するか、又はカバレッジ内に移動することを検出することに応答して、カバレッジ内情報１０３を送信する。カバレッジ内情報１０３は、ＲＡＮとの通信のために構成される同じインタフェースを介して送信され得る。カバレッジ外情報１０３は、デバイスツーデバイスグループ内の全てのデバイスにブロードキャストされ得る。
【０１２５】
デバイスツーデバイスグループのデバイスのいずれか１つでもカバレッジ内に移動する場合、このことは、１０４において、グループ内の全てのデバイスをトリガして、Ｄ２Ｄディスカバリ及び／又はＤ２Ｄ通信のための拡張リソースの使用を不能にさせる。このケースでは、グループヘッドからの専用シグナリングは必要とされない。これらのＵＥは、当該ＵＥの少なくとも１つがセルラー通信ネットワークのカバレッジ内に移動したことを、それら自身が検出し得る。
【０１２６】
実施形態によるユーザ機器は、Ｄ２Ｄ通信を使用して実施されることが可能なサービスをサポートし得る。サポートされるサービスのセットは、拡張リソースがＤ２Ｄ通信に利用可能であるかどうかに依存して、適合され得る。例示のため、拡張リソースがＤ２Ｄ通信に利用可能ではないときでさえも、Ｄ２Ｄ通信を介した音声電話技術は、サポートされ得る。拡張リソースがＤ２Ｄ通信に利用可能である場合にのみ、例えば、グループの全てのデバイスがカバレッジ外に存在するときに、ビデオ電話技術又は高解像度ビデオ電話技術が選択的にサポートされ得る。
【０１２７】
図１２は、一実施形態による方法１１０のフローチャートである。方法１１０は、一実施形態によるユーザ機器によって実施され得る。
【０１２８】
１１１では、Ｄ２Ｄ通信に依拠するサービスのセットがサポートされる。これらのサービスは、低データレートのサービスを含み得る。１１１では、閾値基準を上回る帯域幅要件又はデータレート要件を有する他のサービスがサポートされないことがあり得る。高解像度ビデオ電話技術は、高帯域幅要件を有するこのようなサービスについての例示であり得る。
【０１２９】
１１２では、Ｄ２Ｄ通信のための拡張リソースの使用が可能にされるかどうかが判定される。Ｄ２Ｄ通信のために拡張リソースの使用が可能にされない場合、この方法は、状態１１１に戻り得る。
【０１３０】
Ｄ２Ｄ通信のための拡張リソースの使用が可能にされる場合、１１３では、サポートされるサービスのセットが適合され得る。サポートされるサービスのセットには、他のサービスが含まれてよい。例示のため、実行のためのサービスのセットには、閾値基準を上回る帯域幅要件又はデータレート要件を有する他のサービスが含まれてよい。１１３では、適合されるセットに、ビデオ電話技術が含まれてよい。１１３では、適合されるセットに、高解像度ビデオ電話技術が含まれてよい。
【０１３１】
１１４では、Ｄ２Ｄ通信のための拡張リソースの使用が可能にされているかどうかが判定される。Ｄ２Ｄ通信のために拡張リソースの使用が不能にされていない場合、サービスの、適合されたセットは、１１５において依然としてサポートされ得る。この方法は、モニタリング１１４に戻り得る。Ｄ２Ｄ通信のために拡張リソースの使用が不能にされている場合、この方法は、１１１に戻り得る。このケースでは、ＲＡＮとの干渉のリスクを緩和するために、拡張リソースが再度、Ｄ２Ｄディスカバリ及びＤ２Ｄ通信から分離した状態に置かれる。
【０１３２】
図１３は、一実施形態によるユーザ機器のブロック図１２０である。これらのモジュールは、ハードウェア、ソフトウェア、ファームウェア、又はそれらの組合せにおいて実装されてよい。
【０１３３】
ユーザ機器は、受信信号を処理するための処理モジュール１２１を備え得る。処理モジュール１２１は、セルラー通信ネットワークからの信号と、Ｄ２Ｄディスカバリ及び／又はＤ２Ｄ通信において受信された、他のユーザ機器からの信号と、の両方を処理するように構成され得る。
【０１３４】
ユーザ機器は、当該ユーザ機器がカバレッジ内に存在するのか、それともカバレッジ外に存在するのかをモニタリングするモニタリングモジュール１２２を備え得る。モニタリングモジュールは、ＲＡＮから受信された信号についてのＳＩＮＲ又は別の信号強度インジケータを使用して、ユーザ機器がカバレッジ内に存在するのか、それともカバレッジ外に存在するのかを判定し得る。
【０１３５】
モニタリングモジュール１２２は、ワイヤレスインタフェースにおいて受信されたメッセージに基づいて、デバイスツーデバイスグループ内の他のユーザ機器がカバレッジ内に存在するのか、それともカバレッジ外に存在するのかも、任意にモニタリングし得る。
【０１３６】
ユーザ機器は、報告モジュール１２３を備え得る。報告モジュールは、ワイヤレスインタフェース制御１２５に結合されて、少なくとも、ユーザ機器がカバレッジ内からカバレッジ外に移動するとき、及び、ユーザ機器がカバレッジ外からカバレッジ内に移動するときに、レポートの送信を生じ得る。
【０１３７】
ユーザ機器は、Ｄ２Ｄディスカバリ及び／又はＤ２Ｄ通信が実施されるリソースを制御するための制御モジュール１２４を備え得る。制御モジュール１２４は、ユーザ機器が、及び、任意に同じグループ内の他のユーザ機器が、カバレッジ外に存在するかどうかに依存して、Ｄ２Ｄディスカバリ及び／又はＤ２Ｄ通信が実施されるリソースを適合するように構成され得る。制御モジュール１２４は、グループの全てのユーザ機器がカバレッジ外に存在する場合に、Ｄ２Ｄディスカバリ及び／又はＤ２Ｄ通信のための拡張リソースの使用を可能にし得る。制御モジュール１２４は、グループの少なくとも１つのユーザ機器がカバレッジ内に存在する場合に、Ｄ２Ｄディスカバリ及び／又はＤ２Ｄ通信のための拡張リソースの使用を不能にし得る。
【０１３８】
ユーザ機器は、Ｄ２Ｄ通信を利用する、サポートされたサービスを管理する管理モジュール１２６を備え得る。管理モジュール１２６は、拡張されたＤ２Ｄリソースが利用可能である場合に、例えば、ユーザ機器及び同じグループ内の他のユーザ機器がカバレッジ外に存在するという理由により、実行され得る、サポートされるサービスのセット内に、付加的なサービスを含め得る。
【０１３９】
ここに開示されるデバイス、システム、及び方法のいずれか１つにおいて、信号品質インジケータに依存するＤ２Ｄリソースの拡張をトリガするための基準が利用されてよい。例示のため、拡張リソースがＤ２Ｄディスカバリ及び／又はＤ２Ｄ通信のために使用され得るかどうかを判定するために、ＳＩＮＲが閾値と比較され得る。
【０１４０】
Ｄ２Ｄリソースが拡張され得るかどうかを判定するときに、及び、ＵＥが適切なセルを見つけるかどうかを判定するときに、様々な閾値が使用されてよい。例示のため、干渉の問題を緩和するために、ユーザ機器において検出されたネットワーク信号強度が、ユーザ機器が適切なセルを識別するであろう信号強度よりも小さいときにのみ、拡張リソースが、Ｄ２Ｄディスカバリ及び／又はＤ２Ｄ通信のために選択的に可能にされ得る。
【０１４１】
図１４は、一実施形態によるユーザ機器の動作を例示する。信号品質インジケータ、例えばＳＩＮＲは、拡張リソースがＤ２Ｄディスカバリ及び／又はＤ２Ｄ通信のために使用され得るかどうかを判定するために、少なくとも１つの閾値と比較され得る。信号品質インジケータは、拡張リソースについての活性化閾値ＴＨ＿ｅｒと比較され得る。グループ内の幾つかのユーザ機器について、信号品質インジケータが、活性化閾値ＴＨ＿ｅｒよりも小さい値である範囲１３１内にある場合にのみ、Ｄ２Ｄディスカバリ及び／又はＤ２Ｄ通信のために使用され得る拡張リソースの使用が可能にされる。
【０１４２】
活性化閾値ＴＨ＿ｅｒは、ユーザ機器がキャンプオンすべき適切なセルを見つける閾値ＴＨ＿ｉｃよりも小さいことがあり得る。信号品質インジケータの値の範囲１３２において、Ｄ２Ｄディスカバリ及び／又はＤ２Ｄ通信のために使用され得る拡張リソースの使用は、不能にされており、ユーザ機器は、キャンプオンすべき適切なセルをまだ見つけていない。
【０１４３】
種々の実施形態のいずれか１つにおいて、Ｄ２Ｄディスカバリ及び／又はＤ２Ｄ通信は、ＵＥがＲＡＮと通信する同じインタフェースを通じて行われる、メッセージの送信及び／又は受信を含み得る。
【０１４４】
他の実施形態では、修正又は変更が実装されてよい。例示のため、リソースは、ＵＥにおいて、基地局によって直接、予め構成され得るだけでなく、Ｄ２Ｄ通信グループについてのグループヘッドとして働く別のＵＥによっても、又はリピータリレーによっても、予め構成され得る。
【０１４５】
更なる例示のため、幾つかの実施形態はＤ２Ｄ通信の文脈で説明されているが、これらの技術は、Ｄ２Ｄディスカバリにも適用可能である。
【０１４６】
例示的な実施形態では、グループの少なくとも２つのユーザ機器がカバレッジ外に移動する場合、予め構成されたＤ２Ｄリソースに拡張リソースを追加することにより、Ｄ２Ｄリソースが拡張され得る。少なくとも２つのユーザ機器は、単離したユーザグループ（ＩＵＧ）を形成し得る。
【０１４７】
実施形態のいずれか１つにおいて、ユーザ機器のカバレッジ内状態又はカバレッジ外状態についての情報は、ＳＡコンテンツ内又はデータコンテンツ内に含まれ得る。
【０１４８】
Ｄ２Ｄディスカバリ及び／又はＤ２Ｄ通信のための拡張リソースの使用を可能にする又は不能にするための、グループヘッドにより送信されるメッセージは、グループヘッドのＳＡコンテンツ内、又はグループヘッドのデータコンテンツ内、又はＤ２ＤＳＳ（Ｄ２Ｄ同期ソース）内、又はＰＤ２ＤＳＣＨコンテンツ内、に含まれ得る。
【０１４９】
この発明の実施形態により、Ｄ２Ｄディスカバリ及び／又はＤ２Ｄ通信に利用可能なリソースを、動的に調節することが可能になる。ＲＡＮ通信との干渉が、抑えておかれ得、又は、防止され得る。
【図１】
2019071654.tif 000003
【図２】
2019071654.tif 000004
【図３】
2019071654.tif 000005
【図４】
2019071654.tif 000006
【図５】
2019071654.tif 000007
【図６】
2019071654.tif 000008
【図７】
2019071654.tif 000009
【図８】
2019071654.tif 000010
【図９】
2019071654.tif 000011
【図１０】
2019071654.tif 000012
【図１１】
2019071654.tif 000013
【図１２】
2019071654.tif 000014
【図１３】
2019071654.tif 000015
【図１４】
2019071654.tif 000016